(57)【要約】【課題】救助用機器を必要とする要救助者に対し速やかに救助用機器を届けることが可能な支援システムを提供する。【解決手段】画像形成装置は、通信装置から緊急事態発生情報を受信すると、緊急事態発生位置を報知するための報知情報の印刷出力を行い、緊急事態発生位置から離れた位置での救助用機器の受け取りが可能である旨が緊急事態発生情報に含まれていれば、画像形成装置の設置位置から緊急事態発生位置までの経路の途中にある位置を中継位置に設定し、印刷する報知情報に中継位置を含めるとともに、通信装置に中継位置を通知する。【選択図】図４
2019133403.tif 000002
【特許請求の範囲】
【請求項１】
緊急事態の発生時に使用される救助用機器の設置建物に設置された画像形成装置と、
前記画像形成装置に対して、前記救助用機器を必要とする旨の緊急事態発生情報を発信することが可能であり、前記緊急事態発生情報を発信するときには前記緊急事態が発生した緊急事態発生位置を前記緊急事態発生情報に含める通信装置と、を備え、
前記画像形成装置は、前記緊急事態発生情報を受信すると、前記緊急事態発生位置を報知するための報知情報の印刷出力を行い、前記緊急事態発生位置から離れた位置での前記救助用機器の受け取りが可能である旨が前記緊急事態発生情報に含まれていれば、前記画像形成装置の設置位置から前記緊急事態発生位置までの経路の途中にある位置を中継位置に設定し、印刷する前記報知情報に前記中継位置を含めるとともに、前記通信装置に前記中継位置を通知することを特徴とする支援システム。
【請求項２】
前記画像形成装置を複数備え、
前記画像形成装置は、前記救助用機器に関する講習を受講したことがある受講経験者がいるか否かを確認し、
前記受講経験者がいる場合、前記受講経験者がいる場所に設置された前記画像形成装置は、前記報知情報の印刷出力を行う一方、前記受講経験者がいない場所に設置された前記画像形成装置は、前記報知情報の印刷出力を行わないことを特徴とする請求項１に記載の支援システム。
【請求項３】
前記受講経験者がいない場合には、全ての前記画像形成装置が前記報知情報を印刷出力することを特徴とする請求項２に記載の支援システム。
【請求項４】
前記受講経験者がいる場所を示す受講経験者情報を記憶するサーバーを備え、
前記画像形成装置は、前記受講経験者情報に基づき、前記受講経験者がいる場所に自機が設置されているか否かを確認することを特徴とする請求項２または３に記載の支援システム。
【請求項５】
前記画像形成装置は、印刷する前記報知情報に前記救助用機器の設置位置を含めることを特徴とする請求項１〜４のいずれか１項に記載の支援システム。
【請求項６】
前記通信装置は、カメラを搭載し、前記カメラが撮影した前記緊急事態発生位置の周辺風景の撮影データを前記緊急事態発生情報に含め、
前記画像形成装置は、前記報知情報の印刷出力を行うとき、前記緊急事態発生位置の周辺風景の撮影データに基づく画像を印刷することを特徴とする請求項１〜５のいずれか１項に記載の支援システム。
【請求項７】
前記救助用機器が持ち出されたか否かを検知する検知部を備え、
前記画像形成装置は、前記救助用機器が持ち出されたことを前記検知部が検知すると、前記救助用機器が持ち出された旨を報知することを特徴とする請求項１〜６のいずれか１項に記載の支援システム。
【請求項８】
前記救助用機器は、自動体外式除細動器であることを特徴とする請求項１〜７のいずれか１項に記載の支援システム。
【請求項９】
前記通信装置は、前記画像形成装置に対して、災害が発生した災害発生位置を含む災害発生情報を発信することが可能であり、
前記画像形成装置は、前記災害発生情報を受信すると、前記災害発生位置を報知するための災害報知情報の印刷出力を行うことを特徴とする請求項１〜８のいずれか１項に記載の支援システム。
【請求項１０】
前記画像形成装置は、印刷する前記災害報知情報に前記画像形成装置の設置位置から予め定められた避難場所に至る避難経路を含めることを特徴とする請求項９に記載の支援システム。
【請求項１１】
前記通信装置は、カメラを搭載し、前記カメラまたは外部カメラが撮影した前記災害発生位置の周辺風景の撮影データを前記災害発生情報に含め、
前記画像形成装置は、前記災害報知情報の印刷出力を行うとき、前記災害発生位置の周辺風景の撮影データに基づく画像を印刷することを特徴とする請求項９または１０に記載の支援システム。
【発明の詳細な説明】
【技術分野】
【０００１】
本発明は、画像形成装置を備える支援システムに関する。
【背景技術】
【０００２】
従来、救助用機器の設置位置や避難場所などを報知することが可能なシステムが知られている。このようなシステムは、たとえば、特許文献１に開示されている。
【０００３】
特許文献１のシステムには、救助用機器の設置位置や避難場所などを示す地図データが市町村の地図データとリンクして格納される。これにより、急病人がいる場合や災害が発生した場合、当該システムを利用することにより、容易に、救助用機器の設置位置や避難場所を報知することができる。
【先行技術文献】
【特許文献】
【０００４】
【特許文献１】特開平１０−２８３４１０号公報
【発明の概要】
【発明が解決しようとする課題】
【０００５】
たとえば、救助用機器を必要とする緊急事態が発生した場合、要救助者（急病人や急病人の同行者）によっては、救助用機器の設置位置まで救助用機器を取りに行けないことがあり得る。この場合には、要救助者がいる場所まで、第３者（救助者）が救助用機器を届ける必要がある。
【０００６】
ここで、特許文献１のシステムを利用することにより、救助者は救助用機器の設置位置を把握することができる。したがって、救助者は速やかに救助用機器を持ち出すことができる。しかし、救助者が要救助者のいる場所を正確に把握していなければ、救助用機器が要救助者に届くのが遅くなってしまう。
【０００７】
本発明は、上記課題を解決するためになされたものであり、救助用機器を必要とする要救助者に対し速やかに救助用機器を届けることが可能な支援システムを提供することを目的とする。
【課題を解決するための手段】
【０００８】
上記目的を達成するため、本発明の支援システムは、緊急事態の発生時に使用される救助用機器の設置建物に設置された画像形成装置と、画像形成装置に対して、救助用機器を必要とする旨の緊急事態発生情報を発信することが可能であり、緊急事態発生情報を発信するときには緊急事態が発生した緊急事態発生位置を緊急事態発生情報に含める通信装置と、を備える。画像形成装置は、緊急事態発生情報を受信すると、緊急事態発生位置を報知するための報知情報の印刷出力を行い、緊急事態発生位置から離れた位置での救助用機器の受け取りが可能である旨が緊急事態発生情報に含まれていれば、画像形成装置の設置位置から緊急事態発生位置までの経路の途中にある位置を中継位置に設定し、印刷する報知情報に中継位置を含めるとともに、通信装置に中継位置を通知する。
【０００９】
本発明の構成では、救助用機器を必要とする要救助者が通信装置を用いて緊急事態発生情報を発信すると、救助用機器の設置建物（要救助者に対し救助用機器を届ける救助者となり得る人がいる建物）に設置された画像形成装置から、緊急事態発生位置を含む報知情報が印刷出力される。これにより、救助者は救助用機器を届けるべき位置を正確に把握することができる。その結果、要救助者に対し速やかに救助用機器を届けることができる。
【００１０】
ここで、緊急事態発生位置が分かり難い場合がある。緊急事態発生位置が分かり難ければ、緊急事態発生位置を含む報知情報を印刷出力しても（緊急事態発生位置を救助者に報知しても）、救助者が緊急事態発生位置に到達するのが遅れる（救助用機器が要救助者に届くのが遅れる）という不都合が生じ得る。このような不都合が生じるのを抑制するため、要救助者は緊急事態発生位置から離れた位置での救助用機器の受け取りが可能である旨を緊急事態発生情報に含めることができる。
【００１１】
緊急事態発生位置から離れた位置での救助用機器の受け取りが可能である旨が緊急事態発生情報に含まれていれば、画像形成装置から印刷出力される報知情報に中継位置が含められ、当該中継位置が通信装置に通知される。このため、要救助者が中継位置まで救助用機器を受け取りに来る。したがって、救助者は救助用機器を中継位置まで運ぶだけでよくなる（緊急事態発生位置を探さなくてもよい）。これにより、緊急事態発生位置が分かり難い場合であっても、速やかに、要救助者に対し救助用機器を届けることができる。
【発明の効果】
【００１２】
本発明の構成では、救助用機器を必要とする要救助者に対し速やかに救助用機器を届けることができる。
【図面の簡単な説明】
【００１３】
【図１】本発明の一実施形態による支援システムの全体構成を示す図
【図２】本発明の一実施形態による支援システムの画像形成装置およびサーバーの各構成を示す図
【図３】本発明の一実施形態による支援システムの通信装置の構成を示す図
【図４】本発明の一実施形態による支援システムの画像形成装置が行う第１支援処理の流れを示すフローチャート
【図５】本発明の一実施形態による支援システムの通信装置から発信される緊急事態発生情報の受信範囲を示す図
【図６】本発明の一実施形態による支援システムの画像形成装置が設置される建物の一例を示す図
【図７】本発明の一実施形態による支援システムの画像形成装置が第１支援処理を行った場合に印刷出力する報知用シートの一例を示す図
【図８】本発明の一実施形態による支援システムの画像形成装置が第１支援処理を行った場合に印刷出力する報知用シートの一例を示す図
【図９】本発明の一実施形態による支援システムの画像形成装置が行う第２支援処理の流れを示すフローチャート
【図１０】本発明の一実施形態による支援システムの画像形成装置が第２支援処理を行った場合に印刷出力する報知用シートの一例を示す図
【発明を実施するための形態】
【００１４】
＜支援システムの全体構成＞
図１に示すように、本実施形態の支援システムＳＳは、画像形成装置１を備える。画像形成装置１は、ネットワークＮＴへの接続が可能である。支援システムＳＳの画像形成装置１の台数は特に限定されない。画像形成装置１の台数が１台であってもよいし複数台であってもよい。以下の説明では、画像形成装置１の台数が複数台であるとする。画像形成装置１の台数が複数台である場合には、複数の画像形成装置１は互いに通信可能に接続される。なお、画像形成装置１の種類についても特に限定されず、ＭＦＰやプリンターなど少なくとも印刷ジョブの実行が可能なものであればよい。
【００１５】
ここで、画像形成装置１の設置建物には、ＡＥＤ１００（Ａｕｔｏｍａｔｅｄ  Ｅｘｔｅｎａｌ  Ｄｅｆｉｂｒｉｌｌａｔｏｒ：自動体外式除細動器）が設置される。ＡＥＤ１００は「救助用機器」に相当する。ＡＥＤ１００の台数は特に限定されない。ＡＥＤ１００の台数が１台であってもよいし複数台であってもよい。
【００１６】
また、支援システムＳＳは、サーバー２を備える。サーバー２は、画像形成装置１の設置建物（あるいは、当該建物の各部屋）への入居者の入退室を管理する。さらに、サーバー２は、ＡＥＤ１００の利用状況（たとえば、ＡＥＤ１００が持ち出されたか否かなど）を管理する。サーバー２は、ＡＥＤ１００を収容するＡＥＤ収容機器１０１に通信可能に接続されるとともに、画像形成装置１に通信可能に接続される。サーバー２は、画像形成装置１との間で、ＡＥＤ１００の利用状況に関する情報を送受信する。なお、支援システムＳＳからサーバー２を省略してもよい。この場合には、画像形成装置１とＡＥＤ収容機器１０１とが通信可能に接続される。
【００１７】
また、支援システムＳＳは、通信装置３を備える。通信装置３は、スマートフォンやタブレットコンピューターのような携帯型の装置であり、画像形成装置１の設置建物の外部で使用可能である。あるいは、画像形成装置１の設置建物の外部にある施設（たとえば、商業施設や公共施設など）に設置された他の画像形成装置を通信装置３として支援システムＳＳに含めてもよい。
【００１８】
通信装置３は、ネットワークＮＴへの接続が可能である。すなわち、通信装置３は、画像形成装置１との間でネットワークＮＴを介した通信が可能である。画像形成装置１との通信が可能な通信装置３には専用のアプリケーションＡＰ１およびＡＰ２（図３参照）がインストールされる。
【００１９】
＜画像形成装置の構成＞
図２に示すように、画像形成装置１は、制御部１１を備える。制御部１１は、ＣＰＵやメモリー（ＲＯＭおよびＲＡＭ）を含む。制御部１１は、画像形成装置１の全体の制御を行う。また、画像形成装置１は画像読取部１１１および印刷部１１２を備え、制御部１１は、画像読取部１１１および印刷部１１２に接続される。制御部１１は、画像読取部１１１および印刷部１１２の各動作を制御する。画像読取部１１１は、原稿を光学的に読み取り原稿の画像データを生成する。印刷部１１２は、用紙を搬送し、搬送中の用紙に画像を印刷する。
【００２０】
また、画像形成装置１は、操作表示部１２を備える。操作表示部１２は、タッチスクリーンを含む。操作表示部１２は、ソフトウェアボタンやメッセージを配した画面を表示する。また、操作表示部１２は、タッチスクリーンの表示画面に対するタッチ操作を受け付ける。操作表示部１２は、制御部１１に接続される。制御部１１は、操作表示部１２の表示動作を制御するとともに、操作表示部１２に対して行われた操作を検知する。
【００２１】
また、画像形成装置１は、音声出力部１３を備える。音声出力部１３は、スピーカーやメモリーなどを含む。音声出力部１３のスピーカーは、報知音を出力する。音声出力部１３のメモリーは、報知音として出力される電子音の音データや合成音声の音データを記憶する。音声出力部１３は、制御部１１に接続される。制御部１１は、音声出力部１３を制御する（報知音の出力タイミングを制御する）。
【００２２】
また、画像形成装置１は、記憶部１４を備える。記憶部１４は、ＲＯＭ（ＥＥＰＲＯＭなど）やＨＤＤのような不揮発性の記憶デバイスを含む。記憶部１４は、制御部１１に接続される。制御部１１は、記憶部１４への情報の書き込みや記憶部１４からの情報の読み出しを行う。たとえば、記憶部１４は、自機位置（自機が設置された建物の位置）を示す自機位置情報を記憶する。
【００２３】
また、画像形成装置１は、通信部１５を備える。通信部１５は、画像形成装置１を外部装置に通信可能に接続するためのインターフェースであり、通信回路や通信メモリーなどを含む。制御部１は、通信部１５を用いて、サーバー２や通信装置３との間で通信する。
【００２４】
＜サーバーの構成＞
図２に示すように、サーバー２は、制御部２１を備える。制御部２１は、ＣＰＵやメモリー（ＲＯＭおよびＲＡＭ）を含む。制御部２１は、サーバー２の全体の制御を行う。
【００２５】
また、サーバー２は、記憶部２２を備える。記憶部２２は、ＲＯＭ（ＥＥＰＲＯＭなど）やＨＤＤのような不揮発性の記憶デバイスを含む。記憶部２２は、制御部２１に接続される。制御部２１は、記憶部２２への情報の書き込みや記憶部２２からの情報の読み出しを行う。
【００２６】
記憶部２２は、受講経験者情報２２０を記憶する。受講経験者情報２２０は、ＡＥＤ１００の使用方法などＡＥＤ１００に関する講習を受講したことがある受講経験者がいる場所を示す情報である。一例として、画像形成装置１の設置建物がオフィスビルであるとする。この場合には、画像形成装置１の設置建物の何階に受講経験者の勤務場所があるかを示す情報が受講経験者情報２２０として記憶部２２に記憶される。なお、支援システムＳＳからサーバー２を省略する場合には、画像形成装置１の記憶部１４に受講経験者情報２２０が記憶される。
【００２７】
また、サーバー２は、通信部２３を備える。通信部２３は、サーバー２を外部装置に通信可能に接続するためのインターフェースであり、通信回路や通信メモリーなどを含む。制御部２１は、通信部２３を用いて、画像形成装置１やＡＥＤ収容機器１０１との間で通信する。
【００２８】
たとえば、ＡＥＤ収容機器１０１には、ＡＥＤ１００が収容されているときと収容されていないときとで出力値を変化させるセンサーが設けられる。当該センサーの出力値が変化した場合（ＡＥＤ収容機器１０１からＡＥＤ１００が持ち出された場合）、所定信号がＡＥＤ収容機器１０１から出力される。ＡＥＤ収容機器１０１の出力信号はサーバー２の通信部２３が受信する。
【００２９】
サーバー２の制御部２１は、通信部２３が所定信号を受信すると、画像形成装置１に持ち出し通知を送信する。画像形成装置１の制御部１１は、通信部１５が持出し通知を受信したか否かに基づき、ＡＥＤ１００の利用状況を認識する。すなわち、ＡＥＤ１００が持ち出されたか否かを制御部１１が検知する。この構成では、画像形成装置１の制御部１１が「検知部」に相当する。なお、支援システムＳＳからサーバー２を省略する場合には、ＡＥＤ収容機器１０１が画像形成装置１に通信可能に接続されるので、ＡＥＤ収容機器１０１からの所定信号は画像形成装置１の通信部１５が受信する。
【００３０】
＜通信装置の構成＞
図３に示すように、通信装置３は、制御部３１を備える。制御部３１は、ＣＰＵやメモリー（ＲＯＭおよびＲＡＭ）を含む。通信装置３にインストールされたアプリケーションＡＰ１およびＡＰ２は、ＲＯＭに記憶され、ＲＡＭに展開される。アプリケーションＡＰ１を起動することにより、後述する緊急事態発生情報を発信することができ、アプリケーションＡＰ２を起動することにより、後述する災害発生情報を発信することができる。
【００３１】
制御部３１は、通信装置３の全体の制御を行う。また、通信装置３はタッチスクリーン３１１を備え、制御部３１は、タッチスクリーン３１１に接続される。制御部３１は、タッチスクリーン３１１の表示動作を制御するとともに、タッチスクリーン３１１に対するタッチ操作を検知する。タッチスクリーン３１１は、画面を表示し、表示画面に対するタッチ操作を受け付ける。
【００３２】
また、通信装置３は、ＧＰＳ受信部３３を備える。ＧＰＳ受信部３３は、ＧＰＳアンテナを含む。ＧＰＳ受信部３３は、ＧＰＳ衛星が発するＧＰＳ信号を受信する。ＧＰＳ受信部３３は、制御部３１に接続される。制御部３１は、ＧＰＳ受信部３３が受信したＧＰＳ信号に基づき、自機の現在位置（緯度および経度）を認識する。
【００３３】
また、通信装置３は、カメラ３４を備える。カメラ３４は、撮像デバイスやレンズなどを含む。撮像デバイスとしては、ＣＭＯＳカメラやＣＣＤカメラなどが用いられる。カメラ３４は、制御部３１に接続される。制御部３１は、カメラ３４による撮影を制御するとともに、カメラ３４が撮影した撮影データを取得する。
【００３４】
また、通信装置３は、通信部３５を備える。通信部３５は、通信装置３を外部装置に通信可能に接続するためのインターフェースであり、通信回路や通信メモリーなどを含む。通信部３５は、制御部３１に接続される。制御部３１は、通信部３５を用いて、画像形成装置１との間で通信する。
【００３５】
＜第１支援処理＞
支援システムＳＳの画像形成装置１は、第１支援処理を行う。画像形成装置１は、第１支援処理として、ＡＥＤ１００を必要とする人（急病人や急病人の同行者）および当該人にＡＥＤ１００を届ける人の両方を支援する処理を行う。以下の説明では、便宜上、ＡＥＤ１００を必要とする人を要救助者と称し、要救助者にＡＥＤ１００を届ける人を救助者と称する。
【００３６】
画像形成装置１による第１支援処理は、画像形成装置１が通信装置３から緊急事態発生情報（ＡＥＤ１００を必要とする旨の情報）を受信したことをトリガーに開始される。すなわち、要救助者が通信装置３を所持していれば、要救助者は自身の通信装置３から緊急事態発生情報を発信することにより、画像形成装置１に第１支援処理を行わせることができる（支援を要求することができる）。
【００３７】
通信装置３から緊急事態発生情報を発信するにはアプリケーションＡＰ１を起動する必要がある。このため、要救助者は支援を要求するとき、自身の通信装置３を操作し、アプリケーションＡＰ１を起動する。たとえば、アプリケーションＡＰ１に対応するアイコンに対するタッチ操作を行うことにより、アプリケーションＡＰ１が起動する。
【００３８】
通信装置３は、アプリケーションＡＰ１が起動すると、緊急事態が発生した緊急事態発生位置から離れた位置でのＡＥＤ１００の受け取りが可能であるか否か（移動可能であるか否か）の選択を受け付けるための受付画面（図示せず）を表示し、当該選択を要救助者から受け付ける。このとき、通信装置３は、緊急事態発生位置の周辺風景の写真を救助者に提供するか否かの選択も要救助者から受け付ける。写真を救助者に提供する旨を受け付けた場合、通信装置３は、緊急事態発生位置の周辺風景を撮影するよう促すメッセージを表示する。これにより、要救助者は通信装置３を用いて緊急事態発生位置の周辺風景を撮影する。
【００３９】
通信装置３が表示する受付画面には、緊急事態発生情報の発信指示を受け付けるための発信ボタンが表示される。通信装置３は、発信ボタンに対するタッチ操作が行われると、緊急事態発生情報を発信する。このとき、通信装置３は、ＧＰＳ信号に基づき得られる自機の現在位置を緊急事態発生位置として緊急事態発生情報に含める。
【００４０】
さらに、移動可能である旨を受け付けていれば、通信装置３は、移動可能情報を緊急事態発生情報に含める。また、写真を提供する旨を受け付けていれば、通信装置３は、写真を提供する旨を受け付けてから発信ボタンに対するタッチ操作を受け付けるまでに行った撮影（緊急事態発生位置の周辺風景の撮影）の撮影データを緊急事態発生情報に含める。
【００４１】
たとえば、緊急事態発生情報の発信位置（緊急事態発生位置）から所定距離以内の位置に支援システムＳＳの画像形成装置１が設置されていれば、画像形成装置１は緊急事態発生情報を受信する。画像形成装置１は、緊急事態発生情報を受信すると、第１支援処理を開始する。
【００４２】
以下に、図４に示すフローチャートを参照し、支援システムＳＳの画像形成装置１が行う第１支援処理の流れを説明する。図４に示すフローチャートは、画像形成装置１が緊急事態発生情報を受信したときにスタートする。
【００４３】
以下の説明では、図５に示すように、支援システムＳＳの画像形成装置１の設置建物１０００が緊急事態発生位置から所定距離以内の位置にあるとする。また、図６に示すように、建物１０００は複数階建てであり、建物１０００のうち３つのフロア（Ａ階、Ｂ階およびＣ階）に１台ずつ画像形成装置１が設置されているとする。すなわち、支援システムＳＳの画像形成装置１の台数が３台であり、３台の画像形成装置１の各設置場所が互いに異なっている。
【００４４】
この例では、３台の画像形成装置１がそれぞれ通信装置３から緊急事態発生情報を受信する。したがって、３台の画像形成装置１がそれぞれ第１支援処理（図４に示すフローチャートに沿った処理）を行う。
【００４５】
ステップＳ１において、画像形成装置１の制御部１１は、緊急事態発生情報の内容を確認する確認処理を行う、ここでの確認処理では、緊急事態発生位置の確認や、移動可能情報の有無および撮影データの有無の確認が行われる。
【００４６】
ステップＳ２において、画像形成装置１の制御部１１は、サーバー２から受講経験者情報２２０を取得する。なお、支援システムＳＳからサーバー２を省略する場合には、画像形成装置１の記憶部１４に受講経験者情報２２０が記憶される。この場合には、ステップＳ２の処理が省略される。
【００４７】
ステップＳ３において、画像形成装置１の制御部１１は、受講経験者情報２２０に基づき、受講経験者がいる場所（受講経験者の勤務場所があるフロア）に自機が設置されているか否かを判断する設置場所判断処理を行う。たとえば、画像形成装置１には、自機の設置場所を示す設置場所情報（建物１０００の何階に設置されているかを示す情報）が予め記憶される。そして、画像形成装置１の制御部１１は、設置場所判断処理を行うとき、設置場所情報を参照する（受講経験者の有無を確認する）。設置場所判断処理の結果、受講経験者がいる場所に自機が設置されていると画像形成装置１の制御部１１が判断した場合には、ステップＳ４に移行する。
【００４８】
ステップＳ４に移行すると、画像形成装置１の制御部１１は、音声出力部１３に第１報知音を出力させる。このとき、画像形成装置１から電子音が出力される。あるいは、「緊急事態が発生しました」や「ＡＥＤが必要です」といった合成音声が画像形成装置１から出力される。また、ＡＥＤ１００を必要とする緊急事態が発生した旨の報知メッセージが画像形成装置１の操作表示部１２に表示されてもよい。なお、画像形成装置１の制御部１１は、第１報知音の出力以降、第１支援処理が終わるまで、第１支援処理に関するジョブ以外のジョブは実行しない。
【００４９】
ステップＳ５において、画像形成装置１の制御部１１は、緊急事態発生情報に移動可能情報が含まれているか否かを判断する。その結果、緊急事態発生情報に移動可能情報が含まれていないと画像形成装置１の制御部１１が判断した場合には、ステップＳ６に移行する。
【００５０】
ステップＳ６に移行すると、画像形成装置１の制御部１１は、報知用シートＮＦ１（図７参照）を印刷出力するためのジョブ処理を行う。具体的には、画像形成装置１の制御部１１は、通信部１５を用いて、地図データを配信する地図配信サーバー（図示せず）にアクセスする。画像形成装置１の制御部１１は、地図配信サーバーにアクセスすると、自機位置および緊急事態発生位置を含む範囲の地図データ（以下の説明では、ＡＥＤ運搬用地図データと称する）を地図配信サーバーから取得する。
【００５１】
また、画像形成装置１の制御部１１は、経路検索処理を行う。たとえば、画像形成装置１の制御部１１は、経路検索処理を行うとき、記憶部１４に予め記憶された経路検索プログラムを起動する。また、画像形成装置１の制御部１１は、自機位置を出発地に設定するとともに、緊急事態発生位置を目的地に設定する。そして、画像形成装置１の制御部１１は、経路検索プログラムに基づく処理を行うことにより、自機位置（出発地）から緊急事態発生位置（目的地）に至る経路を検索する。
【００５２】
経路検索処理の完了後、画像形成装置１の制御部１１は、ＡＥＤ運搬用地図データおよび経路検索結果に基づき、自機位置から緊急事態発生位置に至る経路が記された地図ＭＰ１（図７参照）の画像データを生成する。その後、画像形成装置１の制御部１１は、記憶部１４に予め記憶された報知メッセージＭＳ１（図７参照）を抽出し、報知メッセージＭＳ１および地図ＭＰ１を含む画像データを生成する。なお、報知メッセージＭＳ１および地図ＭＰ１は「報知情報」に相当する。
【００５３】
そして、画像形成装置１の制御部１１は、報知メッセージＭＳ１および地図ＭＰ１の印刷を印刷部１１２に行わせる。これにより、画像形成装置１から報知用シートＮＦ１が出力される。報知用シートＮＦ１の一例を図７に示す。
【００５４】
報知用シートＮＦ１には、たとえば、近くに急病人がいる旨や、ＡＥＤ１００を緊急事態発生位置（急病人がいる位置）まで運ぶよう促す旨のメッセージが報知メッセージＭＳ１として印刷される。また、報知用シートＮＦ１には、建物１０００の位置（現在位置）から緊急事態発生位置（「Ｘ」の位置）に至る経路（図７では、破線矢印で示す）が印刷される。画像形成装置１が受信した緊急事態発生情報に撮影データ（緊急事態発生位置の周辺風景の撮影で得られた撮影データ）が含まれる場合には、緊急事態発生位置の周辺風景が報知用シートＮＦ１に印刷される（図７では、周辺風景の印刷領域を破線で囲む）。
【００５５】
また、報知用シートＮＦ１には、報知用メッセージＭＳ１として、ＡＥＤ１００の設置位置（建物１０００の何階にＡＥＤ１００が設置されているか）を報知するためのメッセージも印刷される。図示しないが、画像形成装置１の設置位置からＡＥＤ１００の設置位置に至る経路が報知用シートＮＦ１に印刷されてもよい。
【００５６】
図４に戻り、ステップＳ５において、緊急事態発生情報に移動可能情報が含まれていると画像形成装置１の制御部１１が判断した場合には、ステップＳ７に移行する。ステップＳ７に移行すると、画像形成装置１の制御部１１は、中継位置を設定する中継位置設定処理を行う。中継位置設定処理では、ＡＥＤ１００の受け渡し場所（中継位置）が設定される。
【００５７】
中継位置設定処理を行うとき、画像形成装置１の制御部１１は、地図配信サーバーからＡＥＤ運搬用地図データを取得し、自機位置を含む第１地域および緊急事態発生位置を含む第２地域を認識する。そして、画像形成装置１の制御部１１は、第１地域と第２地域との間の地域内に中継位置を設定する。
【００５８】
たとえば、中継位置の候補位置が予め複数登録され、画像形成装置１の記憶部１４に記憶される。そして、画像形成装置１の制御部１１は、複数の候補位置のうち、第１地域と第２地域との間の地域内にあるいずれかの候補位置を中継位置に設定する。第１地域と第地域との間の地域内に候補位置がない場合には、複数の候補位置のうち予め定められた候補位置（たとえば、建物１０００の玄関前の位置など建物１０００に最も近い位置）が中継位置に設定されてもよい。
【００５９】
なお、画像形成装置１のユーザー（救助者となり得る人）が中継位置を任意に設定できても良い。当該設定の受け付けは画像形成装置１の操作表示部１２が行う。
【００６０】
中継位置設定処理の完了後、ステップＳ８に移行する。ステップＳ８に移行すると、画像形成装置１の制御部１１は、報知用シートＮＦ２（図８参照）を印刷出力するためのジョブ処理を行う。具体的には、画像形成装置１の制御部１１は、経路検索処理を行うことにより、自機位置（出発地）から中継位置を経由して緊急事態発生位置（目的地）に至る経路を検索する。
【００６１】
経路検索処理の完了後、画像形成装置１の制御部１１は、ＡＥＤ運搬用地図データおよび経路検索結果に基づき、自機位置から中継位置を経由し緊急事態発生位置に至る経路が記された地図ＭＰ２（図８参照）の画像データを生成する。その後、画像形成装置１の制御部１１は、記憶部１４に予め記憶された報知メッセージＭＳ２（図８参照）を抽出し、報知メッセージＭＳ２および地図ＭＰ２を含む画像データを生成する。なお、報知メッセージＭＳ２および地図ＭＰ２は「報知情報」に相当する。
【００６２】
そして、画像形成装置１の制御部１１は、報知メッセージＭＳ２および地図ＭＰ２の印刷を印刷部１１２に行わせる。これにより、画像形成装置１から報知用シートＮＦ２が出力される。報知用シートＮＦ２の一例を図８に示す。
【００６３】
報知用シートＮＦ２には、たとえば、近くに急病人がいる旨や、ＡＥＤ１００を中継位置で要救助者に渡すよう促す旨のメッセージが報知メッセージＭＳ２として印刷される。また、報知用シートＮＦ２には、建物１０００の位置（現在位置）から中継位置（「Ｒ」の位置）に至る経路（図８では、破線矢印で示す）が印刷される。さらに、報知用シートＮＦ２には、中継位置（「Ｒ」の位置）から緊急事態発生位置（「Ｘ」の位置）に至る経路（図８では、一点鎖線矢印で示す）が印刷される。画像形成装置１が受信した緊急事態発生情報に撮影データ（緊急事態発生位置の周辺風景の撮影で得られた撮影データ）が含まれる場合には、緊急事態発生位置の周辺風景が報知用シートＮＦ２に印刷される（図８では、周辺風景の印刷領域を破線で囲む）。
【００６４】
また、報知用シートＮＦ２には、報知用メッセージＭＳ２として、ＡＥＤ１００の設置位置（建物１０００の何階にＡＥＤ１００が設置されているか）を報知するためのメッセージも印刷される。図示しないが、画像形成装置１の設置位置からＡＥＤ１００の設置位置に至る経路が報知用シートＮＦ２に印刷されてもよい。
【００６５】
図４に戻り、報知用シートＮＦ２の印刷出力後、ステップＳ９に移行する。ステップＳ９に移行すると、画像形成装置１の制御部１１は、通知処理を行う。このとき、画像形成装置１の制御部１１は、通信部１５を用いて、通信装置３に対し、中継位置設定処理で設定した中継位置を通知する。たとえば、経路検索処理で検索された経路（中継位置を経由する経路）も画像形成装置１から通信装置３に通知される。また、このとき、ＡＥＤ１００を中継位置で受け渡す旨の通知もなされる。
【００６６】
なお、支援システムＳＳの３台の画像形成装置１のうち２台以上が報知用シートＮＦ２を印刷する場合がある。この場合には、当該２台以上の画像形成装置１のうち１台だけが通知処理を行う。たとえば、３台の画像形成装置１には優先順位が割り当てられており、報知用シートＮＦ２を印刷した画像形成装置１のうち優先順位が最も高い画像形成装置１が通知処理を行う。
【００６７】
ステップＳ９の処理が終わると、ステップＳ１０に移行する。また、ステップＳ６の処理が終わった場合にも、ステップＳ１０に移行する。
【００６８】
ステップＳ１０に移行すると、画像形成装置１の制御部１１は、ＡＥＤ１００がＡＥＤ収容機器１０１から持ち出されたか否かを判断する。その結果、ＡＥＤ１００が持ち出されたと画像形成装置１の制御部１１が判断した場合には、ステップＳ１１に移行する。一方で、ＡＥＤ１００が持ち出されていないと画像形成装置１の制御部１１が判断した場合には、ステップＳ１０の処理が繰り返される。なお、第１報知音の出力開始から所定時間が経過してもＡＥＤ１００が持ち出されなかった場合には、第１報知音の出力開始から所定時間が経過したときに、画像形成装置１から第１報知音が再度出力されてもよい。このとき、全ての画像形成装置１から第１報知音が出力されてもよい。また、所定時間が経過して以降、ＡＥＤ１００が持ち出されるまで、第１報知音の出力を一定間隔で繰り返してもよい。
【００６９】
ステップＳ１１に移行すると、画像形成装置１の制御部１１は、ＡＥＤ１００が持ち出されたことを報知するため、音声出力部１３に第２報知音を出力させる。このとき、画像形成装置１から電子音（第１報知音とは異なる音）が出力される。あるいは、「ＡＥＤが持ち出されました」といった合成音声が画像形成装置１から出力される。また、ＡＥＤ１００が持ち出された旨の報知メッセージが画像形成装置１の操作表示部１２に表示されてもよい。なお、画像形成装置１の制御部１１は、第２報知音の出力以降、通常ジョブの実行指示を受け付ける。
【００７０】
ステップＳ３において、受講経験者がいない場所に自機が設置されていると画像形成装置１の制御部１１が判断した場合には、ステップＳ１２に移行する。ステップＳ１２に移行すると、画像形成装置１の制御部１１は、受講経験者情報２２０に基づき、受講経験者がいるか否かを確認する。あるいは、画像形成装置１の制御部１１は、他の画像形成装置１と通信し、他の画像形成装置１で行われた設置場所判断処理の結果を認識することによって、受講経験者がいるか否かを確認する。言い換えると、画像形成装置１の制御部１１は、他の画像形成装置１が受講経験者のいる場所に設置されているか否か（受講経験者がいる場所に設置された画像形成装置１が存在するか否か）を判断する。
【００７１】
ステップＳ１２において、他の画像形成装置１が受講経験者のいる場所に設置されている（受講経験者がいる）と画像形成装置１の制御部１１が判断した場合には、本フローは終了する。この場合には、他の画像形成装置１（受講経験者がいる場所に設置された画像形成装置１）が第１報知音を出力し、当該画像形成装置１が報知用シートＮＦ１（あるいは、報知用シートＮＦ２）を印刷出力することになる。
【００７２】
ステップＳ１２において、受講経験者がいる場所に設置された画像形成装置１が存在しない（受講経験者がいない）と画像形成装置１の制御部１１が判断した場合には、ステップＳ４に移行する。この場合には、全ての画像形成装置１が第１報知音を出力し、全ての画像形成装置１が報知用シートＮＦ１（あるいは、報知用シートＮＦ２）を印刷出力することになる。
【００７３】
たとえば、図６に示す例において、建物１０００のＡ階、Ｂ階およびＣ階のうち、Ｃ階だけが受講経験者のいる場所として登録されている場合には、Ｃ階の画像形成装置１だけが報知用シートＮＦ１（あるいは、報知用シートＮＦ２）を印刷出力する。一方で、受講経験者がいる場所の登録がなされていなければ（受講経験者がいなければ）、建物１０００のＡ階、Ｂ階およびＣ階の全ての画像形成装置１が報知用シートＮＦ１（あるいは、報知用シートＮＦ２）を印刷出力する。なお、建物１０００のＡ階、Ｂ階およびＣ階の全てが受講経験者のいる場所として登録されている場合にも、全ての画像形成装置１が報知用シートＮＦ１（あるいは、報知用シートＮＦ２）を印刷出力する。
【００７４】
本実施形態の支援システムＳＳは、上記のように、緊急事態の発生時に使用されるＡＥＤ１００（救助用機器）の設置建物に設置された画像形成装置１と、画像形成装置１に対して、ＡＥＤ１００を必要とする旨の緊急事態発生情報を発信することが可能であり、緊急事態発生情報を発信するときには緊急事態が発生した緊急事態発生位置を緊急事態発生情報に含める通信装置３と、を備える。画像形成装置１は、緊急事態発生情報を受信すると、緊急事態発生位置を報知するための報知情報の印刷出力を行い、緊急事態発生位置から離れた位置でのＡＥＤ１００の受け取りが可能である旨が緊急事態発生情報に含まれていれば、画像形成装置１の設置位置から緊急事態発生位置までの経路の途中にある位置を中継位置に設定し、印刷する報知情報に中継位置を含めるとともに、通信装置３に中継位置を通知する。
【００７５】
本実施形態の構成では、ＡＥＤ１００を必要とする要救助者が通信装置３を用いて緊急事態発生情報を発信すると、ＡＥＤ１００の設置建物（要救助者に対しＡＥＤ１００を届ける救助者となり得る人がいる建物）に設置された画像形成装置１から、緊急事態発生位置を含む報知情報が印刷出力される。これにより、救助者はＡＥＤ１００を届けるべき位置を正確に把握することができる。その結果、要救助者に対し速やかに救助用機器を届けることができる（ＡＥＤ１００が要救助者に届くのが遅くなるという不都合の発生が抑制される）。
【００７６】
ここで、緊急事態発生位置が分かり難い場合がある。緊急事態発生位置が分かり難ければ、緊急事態発生位置を含む報知情報を印刷出力しても（緊急事態発生位置を救助者に報知しても）、救助者が緊急事態発生位置に到達するのが遅れる（ＡＥＤ１００が要救助者に届くのが遅れる）という不都合が生じ得る。このような不都合が生じるのを抑制するため、要救助者は緊急事態発生位置から離れた位置でのＡＥＤ１００の受け取りが可能である旨を緊急事態発生情報に含めることができる。
【００７７】
緊急事態発生位置から離れた位置でのＡＥＤ１００の受け取りが可能である旨が緊急事態発生情報に含まれていれば、画像形成装置１から印刷出力される報知情報に中継位置が含められ、当該中継位置が通信装置３に通知される。このため、要救助者が中継位置までＡＥＤ１００を受け取りに来る。したがって、救助者はＡＥＤ１００を中継位置まで運ぶだけでよくなる（緊急事態発生位置を探さなくてもよい）。これにより、緊急事態発生位置が分かり難い場合であっても、速やかに、要救助者に対しＡＥＤ１００を届けることができる。
【００７８】
また、本実施形態では、上記のように、画像形成装置１は、ＡＥＤ１００に関する講習を受講したことがある受講経験者がいるか否かを確認する。そして、受講経験者がいる場合、受講経験者がいる場所に設置された画像形成装置１は、報知情報の印刷出力を行う。一方で、受講経験者がいない場所に設置された画像形成装置１は、報知情報の印刷出力を行わない。この構成では、要救助者へのＡＥＤ１００の受け渡しを受講経験者（救助者）に行わせることができる。これにより、要救助者がＡＥＤ１００の使用方法を知らない場合には、救助者がＡＥＤ１００を用いて急病人を救助することができる。あるいは、要救助者は救助者からＡＥＤ１００の使用用法を教えてもらうことができる。
【００７９】
なお、この構成において、受講経験者がいない場合には、全ての画像形成装置１が報知情報を印刷出力する。これにより、要救助者に対しＡＥＤ１００が届けられないという不都合は生じない。
【００８０】
また、本実施形態では、上記のように、受講経験者がいる場所を示す受講経験者情報２２０を記憶するサーバー２を備える。そして、画像形成装置１は、受講経験者情報２２０に基づき、受講経験者がいる場所に自機が設置されているか否かを確認する。この構成では、受講経験者がいる場所に変更が生じた場合、サーバー２に記憶された受講経験者情報２２０を更新するだけで、全ての画像形成装置１に最新の受講経験者情報２２０を提供することができる。
【００８１】
また、本実施形態では、上記のように、画像形成装置１は、印刷する報知情報にＡＥＤ１００の設置位置を含める。この構成では、容易に、画像形成装置１のユーザー（要救助者に対しＡＥＤ１００を届ける救助者となり得る人）にＡＥＤ１００の設置場所を認識させることができる。
【００８２】
また、本実施形態では、上記のように、画像形成装置１は、報知情報の印刷出力を行うとき、緊急事態発生位置の周辺風景の撮影データが緊急事態発生情報に含まれていれば、緊急事態発生位置の周辺風景の撮影データに基づく画像を印刷する。これにより、緊急事態発生位置の特定が容易になる。
【００８３】
また、本実施形態では、上記のように、画像形成装置１は、ＡＥＤ１００が持ち出されたことを自機の制御部１１（検知部）が検知すると、ＡＥＤ１００が持ち出された旨を報知する。これにより、或る者がＡＥＤ１００を既に持ち出した旨、すなわち、ＡＥＤ１００を持ち出す必要がなくなった旨を他者に認識させることができる。
【００８４】
＜第２支援処理＞
支援システムＳＳの画像形成装置１は、第２支援処理を行う。画像形成装置１は、第２支援処理として、水害や火災などの災害発生時に避難対象者を支援する処理を行う。画像形成装置１による第２支援処理は、画像形成装置１が通信装置３から災害発生情報を受信したことをトリガーに開始される。
【００８５】
通信装置３から災害発生情報を発信するにはアプリケーションＡＰ２を起動する必要がある。通信装置３は、アプリケーションＡＰ２が起動すると、災害が発生した災害発生位置の周辺風景の写真を避難対象者に提供するか否かの選択を受け付けるための受付画面（図示せず）を表示し、当該選択を通報者（通信装置３の操作者）から受け付ける。写真を避難対象者に提供する旨を受け付けた場合、通信装置３は、災害発生位置の周辺風景を撮影するよう促すメッセージを表示する。これにより、通報者は通信装置３を用いて災害発生位置の周辺風景を撮影する。
【００８６】
通信装置３が表示する受付画面には、災害発生情報の発信指示を受け付けるための発信ボタンが表示される。通信装置３は、発信ボタンに対するタッチ操作が行われると、災害発生情報を発信する。このとき、通信装置３は、ＧＰＳ信号に基づき得られる自機の現在位置を災害発生位置として災害発生情報に含める。また、写真を提供する旨を受け付けていれば、通信装置３は、災害発生位置の周辺風景の撮影データを災害発生情報に含める。
【００８７】
ここで、災害発生情報の発信機能を画像形成装置などの据置型装置に持たせてもよい。この場合には、据置型装置（画像形成装置）が「通信装置」に相当することになる。一例として、商業施設や公共施設に設置された画像形成装置に災害発生情報の発信機能を持たせることができる。
【００８８】
たとえば、据置型装置に災害発生情報の発信機能を持たせる場合には、据置型装置の設置施設に設置された監視カメラ（当該施設の周辺を監視するカメラ）などの外部カメラが据置型装置に通信可能に接続される。これにより、据置型装置から災害発生情報を発信する場合であっても、災害発生位置の周辺風景の撮影データ（外部カメラが撮影した撮影データ）を災害発生情報に含めることができる。
【００８９】
たとえば、災害発生情報の発信位置から所定距離以内の位置に支援システムＳＳの画像形成装置１が設置されていれば、画像形成装置１は災害発生情報を受信する。画像形成装置１は、災害発生情報を受信すると、第２支援処理を開始する。
【００９０】
以下に、図９に示すフローチャートを参照し、支援システムＳＳの画像形成装置１が行う第２支援処理の流れを説明する。図９に示すフローチャートは、画像形成装置１が災害発生情報を受信したときにスタートする。
【００９１】
ステップＳ２１において、画像形成装置１の制御部１１は、災害発生情報の内容を確認する確認処理を行う。ここでの確認処理では、災害発生位置の確認や、撮影データの有無の確認が行われる。
【００９２】
ステップＳ２２において、画像形成装置１の制御部１１は、災害が発生したことを報知するため、音声出力部１３に第３報知音を出力させる。このとき、画像形成装置１から電子音（第１報知音および第２報知音とは異なる音）が出力される。あるいは、「災害が発生しました」や「避難場所に避難してください」といった合成音声が画像形成装置１から出力される。
【００９３】
ステップＳ２３において、画像形成装置１の制御部１１は、報知用シートＮＦ３（図１０参照）を印刷出力するためのジョブ処理を行う。具体的には、画像形成装置１の制御部１１は、通信部１５を用いて、地図データを配信する地図配信サーバー（図示せず）にアクセスする。画像形成装置１の制御部１１は、地図配信サーバーにアクセスすると、自機位置および災害発生位置を含む範囲の地図データ（以下の説明では、避難誘導用地図データと称する）を地図配信サーバーから取得する。
【００９４】
また、画像形成装置１の制御部１１は、経路検索プログラムに基づく経路検索処理を行う。このとき、画像形成装置１の制御部１１は、自機位置を出発地に設定するとともに、予め定められた避難場所を目的地に設定する。なお、避難場所を示す情報は予め画像形成装置１の記憶部１４に記憶される。そして、画像形成装置１の制御部１１は、自機位置（出発地）から災害発生位置を回避して避難場所（目的地）に至る避難経路を検索する。
【００９５】
経路検索処理の完了後、画像形成装置１の制御部１１は、避難誘導用地図データおよび経路検索結果に基づき、自機位置から災害発生位置を回避して避難場所に至る避難経路が記された地図ＭＰ３（図１０参照）の画像データを生成する。その後、画像形成装置１の制御部１１は、記憶部１４に予め記憶された報知メッセージＭＳ３（図１０参照）を抽出し、報知メッセージＭＳ３および地図ＭＰ３含む画像データを生成する。なお、報知メッセージＭＳ３および地図ＭＰ３は「災害報知情報」に相当する。
【００９６】
そして、画像形成装置１の制御部１１は、報知メッセージＭＳ３および地図ＭＰ３の印刷を印刷部１１２に行わせる。これにより、画像形成装置１から報知用シートＮＦ３が出力される。報知用シートＮＦ３の一例を図１０に示す。
【００９７】
報知用シートＮＦ３には、たとえば、近くで災害が発生した旨や、避難場所に避難するよう促すメッセージが報知メッセージＭＳ３として印刷される。また、報知用シートＮＦ３には、建物１０００の位置（現在位置）から災害発生位置（「Ｙ」の位置）を回避して避難場所に至る避難経路（図１０では、破線矢印で示す）が印刷される。画像形成装置１が受信した災害発生情報に撮影データ（災害発生位置の周辺風景の撮影で得られた撮影データ）が含まれている場合には、災害発生位置の周辺風景が報知用シートＮＦ３に印刷される（図１０では、周辺風景の印刷領域を破線で囲む）。
【００９８】
本実施形態では、上記のように、画像形成装置１は、災害発生情報を受信すると、災害発生位置を含む災害報知情報の印刷出力を行う。この構成では、建物１０００の近くで災害が発生したとき、容易に、画像形成装置１のユーザー（避難対象者となり得る人）に対し災害発生位置を報知することができる。
【００９９】
また、本実施形態では、上記のように、画像形成装置１は、印刷する災害報知情報に自機の設置位置から予め定められた避難場所に至る避難経路を含める。これにより、避難対象者の避難が効率的に行われる。
【０１００】
また、本実施形態では、上記のように、画像形成装置１は、災害報知情報の印刷出力を行うとき、災害発生位置の周辺風景の撮影データが災害発生情報に含まれていれば、災害発生位置の周辺風景の撮影データに基づく画像を印刷する。これにより、災害発生位置の特定が容易になる。
【０１０１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０２】
１  画像形成装置
２  サーバー
３  通信装置
ＳＳ  支援システム
【図１】
2019133403.tif 000003
【図２】
2019133403.tif 000004
【図３】
2019133403.tif 000005
【図４】
2019133403.tif 000006
【図５】
2019133403.tif 000007
【図６】
2019133403.tif 000008
【図７】
2019133403.tif 000009
【図８】
2019133403.tif 000010
【図９】
2019133403.tif 000011
【図１０】
2019133403.tif 000012